(57)【特許請求の範囲】
【請求項１】
携帯通信端末内の送信回路が備える複数の可変利得デバイスの各制御電圧を調整する制御電圧調整装置において、
前記携帯通信端末の出力段に接続された可変利得デバイスの制御電圧対出力特性の安定領域において、該可変利得デバイスの最大制御電圧値、及び最小制御電圧値を決定する決定手段と、
前記決定手段により決定された可変利得デバイスの最大制御電圧値、及び最小制御電圧値に基づいて、任意の出力値に対応する前記各可変利得デバイスの制御電圧値を設定する設定手段と、
前記設定手段により設定された、任意の出力値に対応する前記各可変利得デバイスの制御電圧値を前記携帯通信端末内の記憶装置に記憶する記憶手段と、
を備えることを特徴とする制御電圧調整装置。
【請求項２】
前記設定手段は、前記特性安定領域内の任意出力に対応する、前記出力段に接続された可変利得デバイスの制御電圧を、前記決定手段により決定された最大制御電圧値と最小制御電圧値の２点間を結ぶ直線上の値として設定することを特徴とする請求項１記載の制御電圧調整装置。
【請求項３】
携帯通信端末内の送信回路が備える複数の可変利得デバイスの各制御電圧を調整する制御電圧調整方法において、
前記携帯通信端末の出力段に接続された可変利得デバイスの制御電圧対出力特性の安定領域において、該可変利得デバイスの最大制御電圧値、及び最小制御電圧値を決定する決定工程と、
前記決定工程により決定された可変利得デバイスの最大制御電圧値、及び最小制御電圧値に基づいて、任意の出力値に対応する前記各可変利得デバイスの制御電圧値を設定する設定工程と、
前記設定工程により設定された、任意の出力値に対応する前記各可変利得デバイスの制御電圧値を前記携帯通信端末内の記憶装置に記憶する記憶工程と、
を含むことを特徴とする制御電圧調整方法。
【請求項４】
前記設定工程は、前記特性安定領域内の任意出力に対応する、前記出力段に接続された可変利得デバイスの制御電圧を、前記決定工程により決定された最大制御電圧値と最小制御電圧値の２点間を結ぶ直線上の値として設定することを特徴とする請求項３記載の制御電圧調整方法。
【発明の詳細な説明】
【０００１】
【発明の属する技術分野】
本発明は、制御電圧調整装置、及び制御電圧調整方法に関する。
【０００２】
【従来の技術】
近時、無線通信技術の進歩に伴い、携帯通信端末のアクセス方式として、スペクトラム拡散通信により、同一の周波数帯域の信号を使って複数の同時通信が可能なＷ−ＣＤＭＡ（Wideband-Code Division Multiple Access）と呼ばれる方式が採用されている。このＷ−ＣＤＭＡ方式の携帯通信端末では、基地局からの指示に応じて、基地局と携帯通信端末間が近い場合には、携帯通信端末の送信電力を小さくし、基地局と携帯通信端末間が離れている場合には、携帯通信端末の送信電力を大きくするように、送信電力を調整させる必要がある。
【０００３】
基地局からのＲＦ出力調整指示は、携帯通信端末の送信電力（以下、ＲＦ出力を称す）の絶対値を指定するものと、ＲＦ出力の変化量を指定するものとの２種類あり、基地局からの、ＲＦ出力調整指示に応じて、携帯通信端末は、端末内に備える可変利得デバイスの制御電圧Ｖgcを制御することによって、例えば、１ｄＢ毎の出力の制御を７４ステップ以上（すなわち、変化量７４ｄＢ以上）行う。
【０００４】
Ｗ−ＣＤＭＡ方式に対応する携帯通信端末が備える送信系の回路は、可変利得デバイス一つだけで７４ｄＢ以上ものＲＦ出力調整に対処することが困難であることから、ＩＦ段可変利得デバイス（以下、ＩＦ−ＧＣと称す）と、ＲＦ段可変利得デバイス（以下、ＲＦ−ＧＣと称す）の２種類の可変利得デバイスを設け（図１参照）、送信信号のＳ／Ｎ比を確保するために、高い出力レベルの制御にはＲＦ−ＧＣを使用し、低い出力レベルの制御にはＩＦ−ＧＣを使用している。
【０００５】
各可変利得デバイスの特性として、ＲＦ出力と、可変利得デバイスの制御電圧Ｖgcとの関係を示すグラフを作成すると、一般に、ＩＦ−ＧＣの制御電圧（以下、ＩＦＶgcと称す）特性曲線は、比較的直線的領域が広く、特性の安定している領域が広いが、ＲＦ−ＧＣの制御電圧（以下、ＲＦＶgcと称す）特性曲線は、比較的直線的領域が狭く、特性の安定している領域も狭い傾向がある。
【０００６】
実際に、基地局からのＲＦ出力調整指示に応じて各可変利得デバイスの出力電圧を制御するためには、携帯通信端末の工場出荷時に、各利得デバイスの制御電圧対出力特性に基づいて、任意のＲＦ出力に対応する各可変利得デバイスの制御電圧値を決定（調整）する必要がある。しかしながら、Ｗ−ＣＤＭＡ方式の携帯通信端末の送信系回路は、２種類の可変利得デバイスを備えていることから、一つのＲＦ出力値に対応するＩＦＶgc及びＲＦＶgcの組み合わせは無限に存在するため、制御電圧の決定（調整）は困難であった。そこで、従来は、これら制御電圧の決定方法として、以下の図４に示すＲＦ出力調整処理を行っていた。
【０００７】
まず、事前に測定された１ｄＢ変化時のＲＦ−ＧＣのＶgc特性曲線から、比較的直線になっている部分を取り出し、この直線部分において使用されるＲＦ−ＧＣの最大電圧ＲＦＶgc＠ＭＡＸを決定する（ステップＴ１）。次いで、ステップＴ１で決定されたＲＦＶgc＠ＭＡＸにて、ＲＦ出力が規定最大値Ｐmax（ｄＢ）となるように、ＩＦ−ＧＣの最大電圧ＩＦＶgc＠ＭＡＸを決定する（ステップＴ２）。
【０００８】
そして、ＩＦＶgcがステップＴ２で決定されたＩＦＶgc＠ＭＡＸであるときに、ＲＦ出力が（Ｐmax−α）（ｄＢ）＝Ｐc（ｄＢ）となるＲＦＶgcを、ＲＦ−ＧＣの最小電圧ＲＦＶgc＠ＭＩＮに決定する（ステップＴ３）。ここで、α（ｄＢ）は、ＲＦ−ＧＣのＲＦ出力可変ノルマである。
【０００９】
次いで、ＲＦＶgcがステップＴ３で決定されたＲＦＶgc＠ＭＩＮであるときに、ＲＦ出力が（Ｐc−β）（ｄＢ）＝Ｐmin（ｄＢ）となるＩＦＶgcを、ＩＦ−ＧＣの最小電圧ＩＦＶgc＠ＭＩＮに決定する（ステップＴ４）。ここで、β（ｄＢ）は、ＩＦ−ＧＣのＲＦ出力可変ノルマである。
【００１０】
次いで、図５に示すように、横軸をＲＦ出力（ｄＢｍ）、縦軸を制御電圧Ｖgc（Ｖ）にしたグラフ上で、ＲＦ出力がＰmax、Ｐcに対応するＲＦＶgc＠ＭＡＸとＲＦＶgc＠ＭＩＮの２点間を直線で結ぶことで、ＰcとＰmax間の任意出力に対応するＲＦＶgcを、近似的にこの直線上の値にするとともに、Ｐc以下の任意出力に対応するＲＦＶgcをＲＦＶgc＠ＭＩＮに固定することで、Ｐmax以下の任意出力に対応するＲＦＶgcを示すＲＦ−ＧＣテーブル（図５の実線）を作成する（ステップＴ５）。
【００１１】
なお、制御マージン付加のため、ＲＦ出力がＰmax以上では、図中のＰmaxとＰcに対応するＲＦＶgc＠ＭＡＸとＲＦＶgc＠ＭＩＮの２点間を結ぶ直線を、Ｐmax以上に延長させ、Ｐmax以上の出力に対応するＲＦＶgcは、この延長直線上の値としたＲＦ−ＧＣテーブルを作成する。
【００１２】
また、上記グラフ上で、図中のＰcとＰminに対応するＩＦＶgc＠ＭＡＸとＩＦＶgc＠ＭＩＮの２点間を直線で結ぶことで、ＰminとＰc間の任意出力に対応するＩＦＶgcを、近似的にこの直線上の値とするとともに、Ｐc以上の任意出力に対応するＩＦＶgcをＩＦＶgc＠ＭＡＸに固定することで、Ｐmin以上の任意出力に対応するＩＦＶgcを示すＩＦ−ＧＣテーブル（図５の点線）を作成する（ステップＴ６）。
【００１３】
なお、制御マージン付加のため、ＲＦ出力がＰmin以下では、図中のＰcとＰminに対応するＩＦＶgc＠ＭＡＸとＩＦＶgc＠ＭＩＮの２点間を結ぶ直線を、Ｐmin以下に延長させ、Ｐmin以下の出力に対応するＩＦＶgcは、この延長直線上の値としたＩＦ−ＧＣテーブルを作成する。
【００１４】
このようにして、携帯通信端末の工場出荷段階において、ＲＦ出力と、そのＲＦ出力値を調整するＩＦ−ＧＣの制御電圧（ＩＦＶgc）、及びＲＦ−ＧＣの制御電圧（ＲＦＶgc）の組を決定し、ＧＣ制御テーブルとして端末内のＲＯＭ（Read Only Memory）に格納する。携帯通信端末の実使用時には、ＲＯＭに格納されたＧＣ制御テーブルから、基地局からのＲＦ出力調整指示に応じた制御電圧（ＩＦＶgc、ＲＦＶgc）を選択して、ＩＦ−ＧＣ及びＲＦ−ＧＣの各出力電圧を制御することになる。
【００１５】
【発明が解決しようとする課題】
しかしながら、図４に示した従来の制御電圧決定方法にあっては、予め決められた、ＲＦ−ＧＣデバイス、及びＩＦ−ＧＣデバイスのＲＦ出力レベルの変化量（ＲＦ出力可変ノルマαｄＢ、βｄＢ）を基準に制御電圧ＲＦＶgc及びＩＦＶgcを決定していたため（図４のステップＴ３及びＴ４）、デバイス毎にＶgc特性が異なる場合等に、上記で求められるＲＦＶgc＠ＭＩＮの値が大きく変動し、ＲＦＶgc特性の直線性の良好でない部分や、特性の安定しない部分が制御電圧として使用されてしまう可能性があった。
【００１６】
本発明の課題は、Ｗ−ＣＤＭＡ方式に対応する携帯通信端末の送信回路において、ＲＦ段可変利得デバイスの制御電圧特性の安定領域における制御電圧を基準にして、各可変利得デバイスの制御電圧を調整することで、良好なＲＦ出力を実現させることである。
【００１７】
【課題を解決するための手段】
本発明は、
携帯通信端末内の送信回路が備える複数の可変利得デバイスの各制御電圧を調整する制御電圧調整装置において、
前記携帯通信端末の出力段に接続された可変利得デバイスの制御電圧対出力特性の安定領域において、該可変利得デバイスの最大制御電圧値、及び最小制御電圧値を決定する決定手段と、
前記決定手段により決定された可変利得デバイスの最大制御電圧値、及び最小制御電圧値に基づいて、任意の出力値に対応する前記各可変利得デバイスの制御電圧値を設定する設定手段と、
前記設定手段により設定された、任意の出力値に対応する前記各可変利得デバイスの制御電圧値を前記携帯通信端末内の記憶装置に記憶する記憶手段と、
を備えることを特徴としている。
【００１８】
【発明の実施の形態】
以下、図を参照して本発明の実施の形態を詳細に説明する。
まず、構成を説明する。
【００１９】
図１は、本発明を適用したＷ−ＣＤＭＡ方式の携帯通信端末１００内の送信回路構成を示すブロック図である。図１に示すように、携帯通信端末１００の送信回路は、マイクロコンピュータ１、ベースバンド部２、ＭＯＤ３、ＩＦ−ＧＣデバイス４、ＢＰＦ５、ＵＰ−ＣＯＮＶ６、ＲＦ−ＧＣデバイス７、ＢＰＦ８、ＰＡ９、ＤＵＰ１０により構成される。
【００２０】
マイクロコンピュータ１は、その内部にＣＰＵ（Central Processing Unit）、ＲＯＭ（Read Only Memory）、ＲＡＭ（Random Access Memory）を有し、各部から入力される信号に応じて、ＲＯＭに格納されている携帯通信端末用の各種制御プログラム、及びアプリケーションプログラム等を読み出してＲＡＭ内のプログラム格納領域に展開して、各種処理を実行し、これらの処理に際して生じる各種データをＲＡＭ内に形成されるデータ格納領域に一時的に記憶させる。また、図示しない入力部から入力される指示信号に従って、前記処理結果をＲＯＭ内の指示された保存先に保存する。
【００２１】
例えば、マイクロコンピュータ１は、携帯通信端末１００の出荷時に、任意のＲＦ出力に対する、ＩＦ−ＧＣ４及びＲＦ−ＧＣ７への制御電圧（ＩＦＶgc、ＲＦＶgc）を決定（調整）してＧＣ制御テーブル（図３参照）を作成するＲＦ出力調整処理を実行する（図２参照）。
【００２２】
このＲＦ出力調整処理において、マイクロコンピュータ１は、ＲＦ−ＧＣ７の制御電圧対出力特性の安定領域において、ＲＦ−ＧＣ７の最大制御電圧値ＲＦＶgc＠ＭＡＸ、及び最小制御電圧値ＲＦＶgc＠ＭＩＮを決定する決定手段としての機能を有する。
【００２３】
また、マイクロコンピュータ１は、上記決定手段により決定されたＲＦ−ＧＣ７の最大制御電圧値ＲＦＶgc＠ＭＡＸ、及び最小制御電圧値ＲＦＶgc＠ＭＩＮに基づいて、任意のＲＦ出力値に対応するＩＦ−ＧＣ４及びＲＦ−ＧＣ７の制御電圧値を設定する設定手段としての機能を有する。
【００２４】
マイクロコンピュータ１内のＲＯＭは、ＲＦ出力調整処理において作成されたＧＣ制御テーブルを格納する記憶手段としての機能を有する。
【００２５】
また、携帯通信端末１００の実使用時に、基地局からのＲＦ出力絶対値、又はＲＦ出力変化指示があると、マイクロコンピュータ１は、ＲＯＭに格納された上記ＧＣ制御テーブルに基づいて、ＩＦ−ＧＣ４及びＲＦ−ＧＣ７を制御する。
【００２６】
ベースバンド部２は、スペクトラム拡散処理が施され、互いに直行関係にあるＩ相の送信信号Ｉデータ、及びＱ相の送信信号ＱデータをＭＯＤ３に出力する。
【００２７】
ＭＯＤ（変調器）３は、図示しない発信器から入力される中間周波数（３８０ＭＨｚ）の発信信号を、ベースバンド部２から入力されるＩデータ及びＱデータに応じて位相変調する。
【００２８】
ＩＦ−ＧＣ（ＩＦ段可変利得デバイス）４は、ＭＯＤ３で変調された信号を、マイクロコンピュータ１から入力される制御電圧信号で定まる利得で増幅する。
【００２９】
ＢＰＦ（Band Pass Filter）５は、ＭＯＤ３で変調され、ＩＦ−ＧＣ４で増幅された信号の不要成分を除去する。
【００３０】
ＵＰ−ＣＯＮＶ（アップコンバータ）６は、ＢＰＦ５から入力される中間周波数（３８０ＭＨｚ）帯域の変調信号を、伝送路周波数（１．９ＧＨｚ）帯域の信号に周波数変換する。
【００３１】
ＲＦ−ＧＣ（ＲＦ段可変利得デバイス）７は、ＵＰ−ＣＯＮＶ６で周波数変換された信号（ＲＦ信号）を、マイクロコンピュータ１から入力される制御電圧信号で定まる利得で増幅する。
【００３２】
ＢＰＦ８は、ＵＰ−ＣＯＮＶ６で周波数変換されて、ＲＦ−ＧＣ７で増幅されたＲＦ信号の不要成分を除去し、ＰＡ（パワーアンプ）９は、この不要成分が除去されたＲＦ信号を電力増幅する。
【００３３】
ＤＵＰ（デュプレクサ）１０は、送受信共用アンテナ１０ａを有する送受信共用器であり、端子ＴＸには、ベースバンド部２〜ＰＡ９により構成される送信回路が接続され、端子ＲＸには、受信回路（図示せず）が接続されている。ＤＵＰ１０は、端子ＴＸを介して入力された、ＰＡ９で電力増幅されたＲＦ信号を、送受信共用アンテナ１０ａに送り、基地局に向けて出力させる。
【００３４】
次に、本実施の形態の動作を説明する。
図２のフローチャートを参照して、携帯通信端末１００の工場出荷時に実行されるＲＦ出力調整処理について説明する。
【００３５】
まず、マイクロコンピュータ１は、事前に測定した１ｄＢ変化時のＲＦＶgc特性曲線から、比較的直線になっている部分を取り出し、この直線部分において使用するＲＦ−ＧＣ７の最大電圧ＲＦＶgc＠ＭＡＸ、及び最小電圧ＲＦＶgc＠ＭＩＮを決定する（ステップＳ１）。
【００３６】
次いで、マイクロコンピュータ１は、ＲＦＶgcがステップＳ１で決定されたＲＦＶgc＠ＭＡＸであるときに、ＲＦ出力が規定の最大値Ｐmaxになるように、ＩＦ−ＧＣ４の最大電圧ＩＦＶgc＠ＭＡＸを決定する（ステップＳ２）。
【００３７】
そして、マイクロコンピュータ１は、ＩＦＶgcがＩＦＶgc＠ＭＡＸ、ＲＦＶgcがＲＦＶgc＠ＭＩＮであるときのＲＦ出力Ｐcを測定し、測定値Ｐcをマイクロコンピュータ１内のＲＡＭに記憶させる（ステップＳ３）。ここで、測定値Ｐcから、ＲＦ−ＧＣ７の出力変化量Ａ（ｄＢ）が、（Ｐmax−Ｐc）（ｄＢ）となることがわかる。
【００３８】
次いで、マイクロコンピュータ１は、ＲＦＶgcがＲＦＶgc＠ＭＩＮ固定時に、ＲＦ出力が最小値Ｐminとなるときの、ＩＦ−ＧＣ４の最小電圧ＩＦＶgc＠ＭＩＮを決定する（ステップＳ４）。ここで、ＩＦ−ＧＣ４の出力変化量ＢｄＢは、ＢｄＢ＝（Ｐc−Ｐmin）ｄＢで表される。
【００３９】
そして、マイクロコンピュータ１は、図３に示すように、横軸をＲＦ出力（ｄＢｍ）、縦軸を制御電圧Ｖgc（Ｖ）にしたグラフ上で、ＲＦ出力がＰmax、Ｐcに対応するＲＦＶgc＠ＭＡＸとＲＦＶgc＠ＭＩＮの２点間を直線で結ぶことで、ＰcとＰmax間の任意出力に対応するＲＦＶgcを、近似的にこの直線上の値とするともに、Ｐc以下の任意出力に対応するＲＦＶgcをＲＦＶgc＠ＭＩＮに固定することで、Ｐmax以下の任意出力に対応するＲＦ−ＧＣテーブル（図３の実線）を作成し（ステップＳ５）、マイクロコンピュータ１内のＲＯＭに格納する。
【００４０】
なお、制御マージン付加のため、ＲＦ出力がＰmax以上では、ＲＦ出力がＰmaxとＰcに対応するＲＦＶgc＠ＭＡＸとＲＦＶgc＠ＭＩＮの２点間を結ぶ直線を、Ｐmax以上に延長させ、Ｐmax以上に対応するＲＦＶgcをこの延長直線上の値としたＲＦ−ＧＣテーブルを作成する。
【００４１】
次いで、マイクロコンピュータ１は、上記グラフ上で、ＲＦ出力がＰcとＰminに対応するＩＦＶgc＠ＭＡＸとＩＦＶgc＠ＭＩＮの２点間を直線で結ぶことで、ＰminとＰc間の任意出力に対応するＩＦＶgcを、近似的にこの直線上の値とするとともに、Ｐc以上の任意出力に対応するＩＦＶgcをＩＦＶgc＠ＭＡＸに固定することで、Ｐmin以上の任意出力に対応するＩＦ−ＧＣテーブル（図３の点線）を作成し（ステップＳ６）、ＲＯＭに格納して、本ＲＦ出力調整処理を終了する。
【００４２】
なお、制御マージン付加のため、ＲＦ出力がＰmin以下では、ＲＦ出力がＰcとＰminに対応するＩＦＶgc＠ＭＡＸとＩＦＶgc＠ＭＩＮの２点間を結ぶ直線を、Ｐmin以下に延長させ、Ｐmin以下の任意出力に対応するＩＦＶgcをこの延長直線上の値としたＩＦ−ＧＣテーブルを作成する。
【００４３】
次に、携帯通信端末１００の実使用時において、基地局からのＲＦ出力制御指示（ＲＦ出力変化量指示、ＲＦ出力絶対値指示）があった際に、上記で作成されたＧＣ制御テーブル（図３）に基づいてＲＦ出力制御を行う方法について説明する。
【００４４】
まず、基地局から、ＲＦ出力変化量の指示（例えば、ＹｄＢ出力変化せよ）があった場合のＲＦ出力制御方法について説明する。
【００４５】
上記ＲＦ出力変化量指示が、ＲＦ出力の上昇を指示するものである場合、現在のＲＦＶgcがＲＦＶgc＞ＲＦＶgc＠ＭＩＮなら、マイクロコンピュータ１は、ＩＦ−ＧＣ４の制御電圧をＩＦＶgc＠ＭＡＸに固定し、ＲＦ−ＧＣ７の制御電圧を、ＧＣ制御テーブルのＲＦ出力＞Ｐcに対応するＲＦＶgc直線上（図３の実線）の電圧値として、指示されたＲＦ出力変化量になるようにＲＦ出力を上昇変化させる。
【００４６】
現在のＲＦＶgcがＲＦＶgc＝ＲＦＶgc＠ＭＩＮなら、マイクロコンピュータ１は、ＲＦ−ＧＣ７の制御電圧をＲＦＶgc＠ＭＩＮに固定し、ＩＦ−ＧＣ４の制御電圧を、ＧＣ制御テーブルのＲＦ出力＜Ｐcに対応するＩＦＶgc直線上（点線）の電圧値として、指示されたＲＦ出力変化量になるようにＲＦ出力を上昇変化させる。指示されたＲＦ出力変化量に達する前に、ＩＦＶgcが最大電圧ＩＦＶgc＠ＭＡＸになると、マイクロコンピュータ１は、今度はＩＦＶgcをＩＦＶgc＠ＭＡＸに固定し、ＲＦＶgcを、ＧＣ制御テーブルのＲＦ出力＞Ｐcに対応するＲＦＶgc直線上（図３の実線）の電圧値として、指示されたＲＦ出力変化量になるようにＲＦ出力を上昇変化させる。
【００４７】
上記ＲＦ出力変化量指示が、ＲＦ出力低下を指示するものである場合、現在のＲＦＶgcがＲＦＶgc＝ＲＦＶgc＠ＭＩＮなら、マイクロコンピュータ１は、ＲＦ−ＧＣ７の制御電圧をＲＦＶgc＠ＭＩＮに固定し、ＩＦ−ＧＣ４の制御電圧を、ＧＣ制御テーブルのＲＦ出力＜Ｐcに対応するＩＦＶgc直線上（図３の点線）の電圧値として、指示されたＲＦ出力変化量になるようにＲＦ出力を下降させる。
【００４８】
現在のＲＦＶgcがＲＦＶgc＞ＲＦＶgc＠ＭＩＮなら、マイクロコンピュータ１は、ＩＦ−ＧＣ４の制御電圧をＩＦＶgc＠ＭＡＸに固定し、ＲＦ−ＧＣ７の制御電圧を、ＧＣ制御テーブルのＲＦ出力＞Ｐcに対応するＲＦＶgc直線上（図３の実線）の電圧値として、指示されたＲＦ出力変化量になるようにＲＦ出力を下降させる。指示されたＲＦ出力変化量に達する前に、ＲＦＶgcが最小電圧ＲＦＶgc＠ＭＩＮになると、マイクロコンピュータ１は、今度はＲＦＶgcをＲＦＶgc＠ＭＩＮに固定し、ＩＦＶgcを、ＧＣ制御テーブルのＲＦ出力＜Ｐcに対応するＩＦＶgc直線上（図３の点線）の電圧値として、指示されたＲＦ出力変化量になるようにＲＦ出力を下降させる。
【００４９】
次に、基地局から、ＲＦ出力の絶対値指示（例えば、ＺｄＢｍにせよ）があった場合のＲＦ出力制御方法について説明する。
【００５０】
基地局から指示されたＲＦ出力絶対値Ｚが、Ｚ＞Ｐcである場合、マイクロコンピュータ１は、ＩＦ−ＧＣ４の制御電圧をＩＦＶgc＠ＭＡＸに固定し、ＲＦ−ＧＣ７の制御電圧を、ＧＣ制御テーブルのＲＦ出力＞Ｐcに対応するＲＦＶgc直線上（図３の実線）の電圧値にして、（Ｚ−Ｐc）ｄＢ分の出力上昇制御を行う。
【００５１】
基地局から指示されたＲＦ出力絶対値Ｚが、Ｚ＜Ｐcである場合、マイクロコンピュータ１は、ＲＦ−ＧＣ７の制御電圧をＲＦＶgc＠ＭＩＮに固定し、ＩＦ−ＧＣ４の制御電圧を、ＧＣ制御テーブルのＲＦ出力＜Ｐcに対応するＩＦＶgc直線上（図３の点線）の電圧値にして、（Ｐc−Ｚ）ｄＢ分の出力下降制御を行う。
【００５２】
以上のように、本実施の形態の携帯通信端末１００の制御電圧調整方法によれば、従来、調整が困難であったＲＦＶgc＠ＭＡＸ及びＲＦＶgc＠ＭＩＮを、ＲＦ−ＧＣの制御電圧特性（ＲＦＶgc特性）の直線領域（安定領域）において予め固定することで、たとえ、ＲＦ−ＧＣ毎に制御電圧特性が異なっていても、ＲＦ−ＧＣのＲＦＶgc特性の直線性の良好な部分が、ＲＦ−ＧＣの制御電圧として使用されるようになる。これにより、横軸をＲＦ出力、縦軸を制御電圧Ｖgcにしたグラフ上で、ＲＦ出力がＰmax、Ｐcに対応するＲＦＶgc＠ＭＡＸとＲＦＶgc＠ＭＩＮの２点間を直線で結ぶことで、この２点間の任意出力時の制御電圧ＲＦＶgcを、この直線上の値として、簡単な計算によって近似的に求めることができる。
【００５３】
また、ＲＦ出力がＰmax、Ｐcに対応するＲＦＶgc＠ＭＡＸ、ＲＦＶgc＠ＭＩＮの設定によって、上記グラフ上で、これら２点間を結ぶＲＦＶgc直線をＰmax以上に延長させることにより、Ｐmaxより大きいＲＦ出力に対する制御マージンを設定することが可能になる。
【００５４】
なお、本実施の形態における記述内容は、本発明の趣旨を逸脱しない範囲で適宜変更可能である。例えば、本実施の形態においては、ＧＣ制御テーブルの作成は、携帯通信端末１００内のマイクロコンピュータ１で行うようにしたが、測定系のパーソナルコンピュータ等で行い、作成されたＧＣ制御テーブルを携帯通信端末１００内のＲＯＭに格納するようにしてもよい。
【００５５】
【発明の効果】
本発明によれば、携帯通信端末の出力段に接続された可変利得デバイスの制御電圧対出力特性の安定領域において、該可変利得デバイスの最大制御電圧値、及び最小制御電圧値を決定し、この決定された最大制御電圧値、及び最小制御電圧値に基づいて各可変利得デバイスの制御電圧値を設定することで、たとえ、可変利得デバイス毎に制御電圧対出力特性が異なっていても、該特性の安定している部分が、可変利得デバイスの制御電圧として使用されるようになる。
【図面の簡単な説明】
【図１】Ｗ−ＣＤＭＡ方式の携帯通信端末１００内の送信回路構成を示すブロック図。
【図２】本実施の形態において、携帯通信端末１００の工場出荷段階で実行されるＲＦ出力調整処理を示すフローチャート。
【図３】図１のＲＦ出力調整処理によって作成されるＧＣ制御テーブルを示す図。
【図４】従来のＲＦ出力調整処理を示すフローチャート。
【図５】図４に示した従来のＲＦ出力調整処理によって作成されるＧＣ制御テーブルを示す図。
【符号の説明】
１    マイクロコンピュータ
２    ベースバンド部
３    ＭＯＤ（変調器）
４    ＩＦ−ＧＣ（ＩＦ段可変利得デバイス）
５、８  ＢＰＦ（バンドパスフィルタ）
６    ＵＰ−ＣＯＮＶ（アップコンバータ）
７    ＲＦ−ＧＣ（ＲＦ段可変利得デバイス）
９    ＰＡ（パワーアンプ）
１０  ＤＵＰ（デュプレクサ）
１０ａ  アンテナ
１００  携帯通信端末
【図１】
0003735277.tif 000002
【図２】
0003735277.tif 000003
【図３】
0003735277.tif 000004
【図４】
0003735277.tif 000005
【図５】
0003735277.tif 000006